(57)【特許請求の範囲】
【請求項１】
表示パネル上に配設され、可動透明電極膜と固定透明電極膜が対向して配設されて、抵抗膜方式のタッチセンサーとして機能するタッチパネル、
前記タッチパネルにおける指示位置を検出する位置検出回路、
電界結合方式の受電アンテナとして前記可動透明電極が受電した電力を二次電池に供給する受電回路、および
前記受電回路と前記位置検出回路のいずれか一方を駆動制御するよう選択的に切替制御する制御部、
を備える受電デバイス。
【請求項２】
前記制御部は、前記可動透明電極膜において電力伝送可能状態となったとき、前記位置検出回路から前記受電回路に切替制御して、前記可動透明電極を介して前記二次電池へ給電するよう構成された請求項１に記載の受電デバイス。
【請求項３】
前記可動透明電極膜は、電界結合方式におけるパッシブ電極として機能するよう構成された請求項１に記載の受電デバイス。
【請求項４】
前記タッチパネルは少なくとも２分割されており、前記タッチパネルを構成する可動透明電極膜が電界結合方式におけるパッシブ電極とアクティブ電極として機能するよう構成された請求項１に記載の受電デバイス。
【請求項５】
前記可動透明電極膜は、電界結合方式におけるパッシブ電極として機能し、電界結合方式におけるアクティブ電極が前記パッシブ電極と同一面上に並設された請求項１に記載の受電デバイス。
【請求項６】
前記可動透明電極膜は、電界結合方式におけるパッシブ電極として機能し、電界結合方式におけるアクティブ電極が前記パッシブ電極と異なる面上に配置された請求項１に記載の受電デバイス。
【請求項７】
前記タッチパネルは複数のタッチパネル構成部を有し、少なくとも１つのタッチパネル構成部における可動透明電極構成部が電界結合方式におけるパッシブ電極として機能し、当該可動透明電極構成部が電力伝送可能状態となったとき、前記制御部が前記位置検出回路から前記受電回路に切替制御して、前記可動透明電極構成部を介して前記二次電池へ給電するよう構成された請求項１に記載の受電デバイス。
【請求項８】
前記制御部が前記受電回路に切替制御して前記二次電池に対する給電状態において、少なくとも１つの可動透明電極構成部がタッチパネルのタッチセンサーとして機能するよう構成された請求項７に記載の受電デバイス。
【請求項９】
二次電池を有し、表示パネル上に可動透明電極膜と固定透明電極膜が対向して配設され、抵抗膜方式のタッチセンサーとして機能するタッチパネルを持つ受電デバイスと、
前記受電デバイスが載置されて、前記可動透明電極膜を受電電極として電界結合方式により電力を伝送する送電電極を有する送電デバイスと、
を備えた電力伝送システム。
【請求項１０】
前記受電デバイスの可動透明電極膜が電界結合方式におけるパッシブ電極として機能し、前記可動透明電極膜が前記送電デバイスの送電電極としてのパッシブ電極に少なくとも一部が対向したとき、電力伝送が実行されるよう構成された請求項９に記載の電力伝送システム。
【請求項１１】
前記受電デバイスのタッチパネルが少なくとも２分割されており、前記タッチパネルを構成する可動透明電極膜が電界結合方式におけるパッシブ電極とアクティブ電極として機能し、前記可動透明電極膜が前記送電デバイスの送電電極としてのパッシブ電極とアクティブ電極のそれぞれに少なくとも一部が対向したとき、電力伝送が実行されるよう構成された請求項９に記載の電力伝送システム。
【請求項１２】
前記受電デバイスにおいては、前記可動透明電極膜が電界結合方式におけるパッシブ電極として機能し、電界結合方式におけるアクティブ電極と前記パッシブ電極が同一平面上に並設され、
前記送電デバイスにおいては、電界結合方式におけるアクティブ電極とパッシブ電極が同一面上に並設されており、
前記送電デバイスから前記受電デバイスに対する電界結合方式による給電状態において、それぞれのアクティブ電極とパッシブ電極において少なくとも一部が対向するよう配置される請求項９に記載の電力伝送システム。
【請求項１３】
前記受電デバイスにおいては、前記可動透明電極膜が電界結合方式におけるパッシブ電極として機能し、電界結合方式におけるアクティブ電極と前記パッシブ電極が異なる平面上に配置され、
前記送電デバイスにおいて、電界結合方式におけるアクティブ電極とパッシブ電極が異なる面上に配置され、
前記送電デバイスから前記受電デバイスに対する電界結合方式による給電状態において、それぞれのアクティブ電極とパッシブ電極の少なくとも一部が対向するよう配置される請求項９に記載の電力伝送システム。
【請求項１４】
前記受電デバイスにおいては、前記タッチパネルが複数のタッチパネル構成部を有し、少なくとも１つのタッチパネル構成部における可動透明電極構成部が電界結合方式におけるパッシブ電極として機能し、
前記送電デバイスにおいて、前記受電デバイスのパッシブ電極に対向する位置に移動可能な送電電極としてのパッシブ電極が設けられた請求項９に記載の電力伝送システム。
【請求項１５】
前記送電デバイスのパッシブ電極が前記受電デバイスのパッシブ電極に対向するように、前記送電デバイスが前記受電デバイスを挟むよう構成された請求項１４に記載の電力伝送システム。
【請求項１６】
前記受電デバイスの給電状態において、少なくとも１つの可動透明電極構成部がタッチパネルのタッチセンサーとして機能するよう構成された請求項１４に記載の電力伝送システム。
【発明の詳細な説明】
【技術分野】
【０００１】
本発明は、タッチパネルを有する受電デバイスおよび当該受電デバイスに給電する電力伝送システムに関し、特に受電デバイスに対して非接触にて給電を行うワイヤレスの電力伝送システムに関する。
【背景技術】
【０００２】
従来のタッチパネルを有する受電デバイスとしては、各種電子機器があり、携帯電話器、携帯型ゲーム機、デジタルカメラ、携帯情報端末（ＰＤＡ）、デジタルオーディオ機器、デジタル情報機器などの各種の電子機器が多方面で使用されている。近年、これらの受電デバイスにおいて、液晶表示パネルなどのディスプレイの上に透明電極フィルムで構成されたタッチセンサーを設けたタッチパネルが多くの電子機器に適用されている（特許文献１参照）。これらの受電デバイスは、携帯型であるため、蓄電池である二次電池を保持しており、二次電池から出力された電力により駆動される構成である。
【０００３】
二次電池に対して給電（充電）する従来の電力伝送システムとしては、商用電源から有線により給電する一般的な給電方法の他に、電磁誘導の原理を用いたワイヤレス電力伝送方法がある（特許文献２参照）。また、別のワイヤレス電力伝送方法としては、容量結合を用いた電界結合方式の給電方法が提案されている（特許文献３参照）。電界結合方式とは、送電側と受電側における各電極が近接し電界結合（容量結合）した状態において、送電側の電源回路から受電側の二次電池回路へ電力を伝送する方式である。
【先行技術文献】
【特許文献】
【０００４】
【特許文献１】特開平０７−０１３６９５号公報
【特許文献２】特開２００８−３００３９８号公報
【特許文献３】特表２００９−５３１００９号公報
【発明の概要】
【発明が解決しようとする課題】
【０００５】
上記のようなタッチパネルを有する携帯型の受電デバイスにおいて、蓄電池である二次電池に対して、効率高く短時間で給電することは重要な課題であり、また簡単な操作により給電できる構成とすることも解決すべき重要な課題である。さらに、近年における携帯型の受電デバイスにおいては、更なる小型化、軽量化および薄型化に推移しており、この動向は益々拍車がかかるものと考えられる。この結果、受電デバイスにおける各部品の配設スペースは限定されてきており、各部品の微細化が必要であるとともに、受電デバイスの構成の単純化を図ることも解決すべき重要な課題である。さらに、このような受電デバイスに対して、容易に、かつ効率高く給電するための電力伝送システムを構築することは、前述のような受電デバイスを提供することと共に解決すべき重要な課題である。
【課題を解決するための手段】
【０００６】
本発明においては、前述の課題を解決すべくなされたものであり、本発明に係る第１の態様の受電デバイスは、表示パネル上に配設され、可動透明電極膜と固定透明電極膜が対向して配設されて、抵抗膜方式のタッチセンサーとして機能するタッチパネル、
前記タッチパネルにおける指示位置（操作位置）を検出する位置検出回路、
電界結合方式の受電アンテナとして前記可動透明電極が受電した電力を二次電池に供給する受電回路、および
前記受電回路と前記位置検出回路のいずれか一方を駆動制御するよう選択的に切替制御する制御部、を備えるものである。このように構成された第１の態様の受電デバイスにおいては、外観として実質的に表出し、広い面積を有するタッチセンサーにおける可動透明電極膜が電界結合方式の受電アンテナ（受電電極）として用いられているため、受電効率が高く、短時間の給電が可能となる。また、タッチセンサーの可動透明電極膜が受電機構の一部として用いられて、可動透明電極膜が兼用構造であるため、部品点数の軽減、装置の軽量化および薄型化を図ることができる。
【０００７】
本発明に係る第２の態様の受電デバイスは、前記の第１の態様における前記制御部が、前記可動透明電極膜において電力伝送可能状態となったとき、前記位置検出回路から前記受電回路に切替制御して、前記可動透明電極を介して前記二次電池へ給電するよう構成されている。このように構成された第２の態様の受電デバイスは、給電動作を簡単な操作により実行することができる。
【０００８】
本発明に係る第３の態様の受電デバイスは、前記の第１の態様における前記可動透明電極膜が、電界結合方式におけるパッシブ電極として機能するよう構成されている。このように構成された第３の態様の受電デバイスは、小型化、軽量化および薄型化を図ることができ、効率の高い給電動作を行うことができる。
【０００９】
本発明に係る第４の態様の受電デバイスは、前記の第１の態様における前記タッチパネルが少なくとも２分割されており、前記タッチパネルを構成する可動透明電極膜が電界結合方式におけるパッシブ電極とアクティブ電極として機能するよう構成されている。このように構成された第４の態様の受電デバイスは、小型化、軽量化および薄型化を図ることができ、効率高く給電動作を行うことができる。
【００１０】
本発明に係る第５の態様の受電デバイスは、前記の第１の態様における前記可動透明電極膜が、電界結合方式におけるパッシブ電極として機能し、電界結合方式におけるアクティブ電極が前記パッシブ電極と同一面上に並設されている。このように構成された第５の態様の受電デバイスは、小型化、軽量化および薄型化を図ることができ、効率高く給電できる構成となる。
【００１１】
本発明に係る第６の態様の受電デバイスは、前記の第１の態様における前記可動透明電極膜が、電界結合方式におけるパッシブ電極として機能し、電界結合方式におけるアクティブ電極が前記パッシブ電極と異なる面上に配置されている。このように構成された第６の態様の受電デバイスは、設計の自由度が増大するとともに、効率高く給電できる構成となる。
【００１２】
本発明に係る第７の態様の受電デバイスは、前記の第１の態様における前記タッチパネルが複数のタッチパネル構成部を有し、少なくとも１つのタッチパネル構成部における可動透明電極構成部が電界結合方式におけるパッシブ電極として機能し、当該可動透明電極構成部が電力伝送可能状態となったとき、前記制御部が前記位置検出回路から前記受電回路に切替制御して、前記可動透明電極構成部を介して前記二次電池へ給電するよう構成されている。このように構成された第７の態様の受電デバイスは、給電動作を簡単な操作により実行することが可能となる。
【００１３】
本発明に係る第８の態様の受電デバイスは、前記の第７の態様における前記制御部が前記受電回路に切替制御して前記二次電池に対する給電状態において、少なくとも１つの可動透明電極構成部がタッチパネルのタッチセンサーとして機能するよう構成されている。このように構成された第８の態様の受電デバイスは、給電動作を簡単な操作で行うことが可能となるとともに、給電状態においてもタッチセンサーの使用が可能となり、優れた操作性を有して、使い勝手の良い受電デバイスとなる。
【００１４】
本発明に係る第９の態様の電力伝送システムは、二次電池を有し、表示パネル上に可動透明電極膜と固定透明電極膜が対向して配設され、抵抗膜方式のタッチセンサーとして機能するタッチパネルを持つ受電デバイスと、
前記受電デバイスが載置されて、前記可動透明電極膜を受電電極として電界結合方式により電力を伝送する送電電極を有する送電デバイスと、を備えている。このように構成された第９の態様の電力伝送システムは、容易に、かつ効率高く送電デバイスから受電デバイスへ給電できる構成となる。
【００１５】
本発明に係る第１０の態様の電力伝送システムは、前記の第９の態様の前記受電デバイスの可動透明電極膜が、電界結合方式におけるパッシブ電極として機能し、前記可動透明電極膜が、前記送電デバイスの送電電極としてのパッシブ電極に少なくとも一部が対向したとき、電力伝送が実行されるよう構成されている。このように構成された第１０の態様の電力伝送システムは、送受電動作を簡単な操作で行うことが可能となる。
【００１６】
本発明に係る第１１の態様の電力伝送システムは、前記の第９の態様の前記受電デバイスのタッチパネルが、少なくとも２分割されており、前記タッチパネルを構成する可動透明電極膜が、電界結合方式におけるパッシブ電極とアクティブ電極として機能し、前記可動透明電極膜が前記送電デバイスの送電電極としてのパッシブ電極とアクティブ電極のそれぞれに少なくとも一部が対向したとき、電力伝送が実行されるよう構成されている。このように構成された第１１の態様の電力伝送システムは、受電デバイスにおいて小型化、軽量化および薄型化を図ることができ、効率の高いワイヤレス電力伝送システムを構築することができる。
【００１７】
本発明に係る第１２の態様の電力伝送システムは、前記の第９の態様の前記受電デバイスにおいて、前記可動透明電極膜が電界結合方式におけるパッシブ電極として機能し、電界結合方式におけるアクティブ電極と前記パッシブ電極が同一面上に並設され、
前記送電デバイスにおいては、電界結合方式におけるアクティブ電極とパッシブ電極が同一平面上に並設されており、
前記送電デバイスから前記受電デバイスに対する電界結合方式による給電状態において、それぞれのアクティブ電極とパッシブ電極において少なくとも一部が対向するよう配置されている。このように構成された第１２の態様の電力伝送システムは、受電デバイスにおいて小型化、軽量化および薄型化を図ることができ、効率の高いワイヤレス電力伝送システムを構築することができる。
【００１８】
本発明に係る第１３の態様の電力伝送システムは、前記の第９の態様の前記受電デバイスにおいて、前記可動透明電極膜が電界結合方式におけるパッシブ電極として機能し、電界結合方式におけるアクティブ電極と前記パッシブ電極が異なる面上に配置され、
前記送電デバイスにおいて、電界結合方式におけるアクティブ電極とパッシブ電極が異なる平面上に配置され、
前記送電デバイスから前記受電デバイスに対する電界結合方式による給電状態において、それぞれのアクティブ電極とパッシブ電極の少なくとも一部が対向するよう配置されている。このように構成された第１３の態様の電力伝送システムは、受電デバイスにおける設計の自由度が増大するとともに、効率高く給電できる構成となる。
【００１９】
本発明に係る第１４の態様の電力伝送システムは、前記の第９の態様の前記受電デバイスにおいて、前記タッチパネルが複数のタッチパネル構成部を有し、少なくとも１つのタッチパネル構成部における可動透明電極構成部が電界結合方式におけるパッシブ電極として機能し、
前記送電デバイスにおいて、前記受電デバイスのパッシブ電極に対向する位置に移動可能な送電電極としてのパッシブ電極が設けられている。このように構成された第１４の態様の電力伝送システムは、送受電動作を簡単な操作で行うことが可能となる。
【００２０】
本発明に係る第１５の態様の電力伝送システムは、前記の第１４の態様の前記送電デバイスのパッシブ電極が前記受電デバイスのパッシブ電極に対向するように、前記送電デバイスが前記受電デバイスを挟むよう構成されている。このように構成された第１５の態様の電力伝送システムは、送受電動作を簡単な操作で確実に行うことが可能となる。
【００２１】
本発明に係る第１６の態様の電力伝送システムは、前記の第１４の前記受電デバイスの給電状態において、少なくとも１つの可動透明電極構成部がタッチパネルのタッチセンサーとして機能するよう構成されている。このように構成された第１６の態様の電力伝送システムは、送受電動作を簡単な操作で行うことができるとともに、給電状態においてタッチセンサーの機能を使用することが可能となる。
【発明の効果】
【００２２】
本発明によれば、受電効率が高く、短時間の給電が可能な受電デバイスを提供することができ、受電デバイスの小型化、軽量化および薄型化を達成することができるとともに、送受電動作を簡単な操作で効率高く行うことができる電力伝送システムを提供することができる。
【図面の簡単な説明】
【００２３】
【図１】本発明に係る実施の形態１の電力伝送システムに用いられる受電デバイスおよび送電デバイスを示す平面図
【図２】実施の形態１における受電デバイスの液晶表示パネル上のタッチパネルを示す断面図
【図３】実施の形態１における電力伝送システムを説明する模式図
【図４Ａ】実施の形態１の電力伝送システムにおいて、送電デバイス上に受電デバイスを載置した給電状態を示した平面図
【図４Ｂ】実施の形態１の電力伝送システムにおいて、送電デバイス上に受電デバイスを載置した給電状態を示す側面図
【図５】実施の形態１の電力伝送システムを説明する構成図
【図６Ａ】本発明に係る実施の形態２の電力伝送システムにおいて、送電デバイス上に受電デバイスを載置した給電状態を示した平面図
【図６Ｂ】実施の形態２の電力伝送システムにおいて、送電デバイス上に受電デバイスを載置した給電状態を示す側面図
【図７】実施の形態２の電力伝送システムを説明する構成図
【図８Ａ】本発明に係る実施の形態３の電力伝送システムにおいて、送電デバイス上に受電デバイスを載置した給電状態を示した平面図
【図８Ｂ】実施の形態３の電力伝送システムにおいて、送電デバイス上に受電デバイスを載置した状態を示す側面図
【図９】実施の形態３の電力伝送システムを説明する構成図
【図１０】本発明の電力伝送システムに用いられる受電デバイスのタッチパネルの形状の変形例を示す斜視図
【発明を実施するための形態】
【００２４】
以下、本発明に係る好適な実施の形態として、タッチパネルを有する携帯型の受電デバイスとして携帯電話機能を有するＰＤＡ（Personal Data Assistant）およびそのＰＤＡに電力を供給する電力伝送システムについて説明するが、本発明は以下の実施の形態に具体的に記載した構成に限定されるものではなく、実施の形態において説明する技術的思想と同様の技術的思想及び当技術分野における技術常識に基づいて構成される各種電子機器およびそれらの電子機器に電力を供給する電力伝送システムに適用される。なお、本発明における電力伝送システムにおいては、電界結合（容量結合）方式により受電デバイスに対する給電を行う形態が用いられている。
【００２５】
《実施の形態１》
図１は、本発明に係る実施の形態１の電力伝送システムに用いられる受電デバイス１およびその受電デバイス１に電力を給電（充電）する送電デバイス２を示す平面図である。図１において、受電デバイス１は携帯電話機能を有するＰＤＡであり、表面には操作面となるタッチパネル３が略全面に設けられている。当該受電デバイス１は被充電機器であり二次電池（図示なし）を有している。実施の形態１の電力伝送システムにおいては、受電デバイス１の二次電池に対してワイヤレスにて給電（ワイヤレス電力伝送）する送電デバイス２が設けられている。
【００２６】
実施の形態１の電力伝送システムにおいては、受電デバイス１が送電デバイス２上に載置されて受電デバイス１に対するワイヤレス電力伝送が電界結合方式により行われる。電界結合方式にて電力を供給するためには、受電デバイス１に設けられている電極と、送電デバイス２に設けられている電極が近接対向して配置されて、容量結合状態となる必要がある。実施の形態１における電力伝送システムでは、受電デバイス１の表面にタッチパネル３が設けられているため、このタッチパネル３の透明電極をワイヤレス電力伝送のための受電アンテナとして用いられる。
【００２７】
以下、実施の形態１において、タッチパネル３の透明電極を受電アンテナ、即ち受電電極として用いることについて説明する。
まず、実施の形態１の電力伝送システムにおける被充電機器である受電デバイス１における受電構成について説明する。
【００２８】
図２は受電デバイス１における液晶表示パネル上のタッチパネル３を示す断面図である。図２において、タッチパネル３は、表面側（図２の上側）から順にハードコート層４、可動側フィルム５、収縮性樹脂膜６、可動透明電極膜７、固定透明電極膜１０および固定側支持体１１が設けられており、可動透明電極膜７と固定透明電極膜１０との間にはスペーサ９が配置されている。また、可動側フィルム５、可動透明電極膜７、固定透明電極膜１０および固定側支持体１１は、周縁接着層８により周縁部分において貼り合わされて接着されている。
【００２９】
可動透明電極膜７は、金、銀、銅、錫、ニッケル、パラジウムなどの金属や、酸化錫、酸化インジウム、酸化アンチモン、酸化亜鉛、酸化カドミウム、酸化インジウム錫（ＩＴＯ）などの金属酸化物などの透明導電膜が用いられている。可動透明電極膜７の形成方法としては、真空蒸着法、スパッタリング法、イオンープレーティング法、ＣＶＤ法などが用いられる。
【００３０】
固定透明電極膜１０は、透明フィルム又は透明ガラスからなる固定側支持体１１の上面に形成されており、前述の可動透明電極膜７と同様にＩＴＯなどの透明導電膜が用いられる。
【００３１】
スペーサ９は、可動透明電極膜７と固定透明電極膜１０との間の間隔を保持するものであり、感光性アクリルや感光性ポリエステルなどの透明樹脂をフォトプロセスにて微細なドットを複数形成して構成されている。なお、スペーサ９は、印刷法により形成された微細な複数のドットを用いても良い。
【００３２】
上記のように構成されたタッチパネル３の下には空隙を介して表示パネル１２が設けられている。実施の形態１における表示パネル１２は液晶表示パネルであり、偏向板１３、カラーフィルタ基板１４、ＴＦＴ基板１５および偏向板１６で構成されている。
【００３３】
実施の形態１の受電デバイス１においては、受電デバイス１の操作面であるタッチパネル３の表示面に対して使用者が接触動作（指示動作）を行うことにより、その接触位置に応じた電圧信号を位置検出信号として制御部２０（後述する）に出力するよう構成されている。
【００３４】
実施の形態１における受電デバイス１においては、前述のように、タッチパネル３の可動透明電極膜７が電界結合方式の受電アンテナ（受電電極）として機能する。
【００３５】
次に、実施の形態１における受電デバイス１と送電デバイス２との間で電力供給を行う電界結合方式の給電方法について説明する。
【００３６】
図３は、実施の形態１における電力伝送システムを説明する模式図である。図３において、受電デバイス１には受電側アクティブ電極１７Ａおよび受電側パッシブ電極１８Ａが設けられている。一方、送電デバイス２には送電側アクティブ電極１７Ｂおよび送電側パッシブ電極１８Ｂが設けられている。送電デバイス２から受電デバイス１へ電力が供給される状態においては、受電側アクティブ電極１７Ａおよび送電側アクティブ電極１７Ｂ、並びに受電側パッシブ電極１８Ａおよび送電側パッシブ電極１８Ｂは、それぞれが互いに対向して配置されており、容量結合された状態である。このように容量結合された状態において、送電デバイス２の送電回路１９からアクティブ電極１７Ａ，１７Ｂおよびパッシブ電極１８Ａ，１８Ｂを介して受電デバイス１の受電回路２２に対して電力が供給される。受電回路２２においては、整流され、平滑されて受電回路２２が有する二次電池に充電される。受電回路２２においては二次電池において所定量の電荷が供給され、所定電圧に達したとき二次電池に対する充電動作が終了する。
【００３７】
上記の電界結合方式の給電方法において、受電側パッシブ電極１８Ａとして実施の形態１における受電デバイス１の可動透明電極膜７が用いられている。実施の形態１における受電デバイス１においては、タッチパネル３が表出するよう構成されているため、このタッチパネル３を送電デバイス２に対して近接した位置に配置することが可能である。
【００３８】
図４Ａは送電デバイス２（実線）上に受電デバイス１（一点鎖線）を載置した状態を示した平面図であり、給電状態を示している。図４Ｂは送電デバイス２上に受電デバイス１を載置した給電状態を示す側面図である。図４Ａおよび図４Ｂに示すように、給電状態においては、受電デバイス１の受電アンテナであるアクティブ電極１７Ａ（二点鎖線）およびパッシブ電極１８Ａ（二点鎖線）は、送電デバイス２の送電アンテナであるアクティブ電極１７Ｂ（破線）およびパッシブ電極１８Ｂ（破線）に対向するように配置されており、互いに近接した位置に配置されている。ここで、受電デバイス１のパッシブ電極１８Ａとして、すなわち受電アンテナとしては、タッチセンサー（位置センサー）として機能していたタッチパネル３の可能透明電極膜７が用いられている。
【００３９】
実施の形態１における受電デバイス１は、図４Ｂに示すように、アクティブ電極１７Ａおよびパッシブ電極１８Ａが同一平面上に並設されている。また、送電デバイス２においてもアクティブ電極１７Ｂおよびパッシブ電極１８Ｂが同一平面上に並設されている。なお、実施の形態１においては、受電デバイス１および送電デバイス２におけるアクティブ電極１７Ａ，１７Ｂおよびパッシブ電極１８Ａ，１８Ｂが平面形状を有する構成例で説明したが、本発明はこの構成例に限定されるものではない。本発明においては、アクティブ電極およびパッシブ電極が少なくとも一部に曲面形状を有する構成でも良く、それぞれのアクティブ電極およびパッシブ電極の少なくとも一部が対向して電力伝送可能となる構成であれば良い。
【００４０】
図５は実施の形態１の電力伝送システムを説明する構成図である。図５においては、受電デバイス１におけるタッチパネル３の可動透明電極膜７と固定透明電極膜１０のみをタッチセンサーの要素として図示している。
【００４１】
図５に示すように、受電デバイス１において、電力伝送システムに関する構成要素としては切替部２１を含む制御部２０、受電回路２２、および位置検出回路２３が設けられている。なお、図５において、受電デバイス１としてその他の機能上必要な要素、例えば液晶表示パネルや、ＰＤＡの機能として必要な各種要素に関しては省略している。
【００４２】
図５に示すように、受電デバイス１が送電デバイス２上に載置されて、電力伝送可能状態となったことを受電デバイス１の制御部２０が検知したとき、制御部２０では切替部２１の切り替え動作を行う、この切り替え動作により、タッチパネル３の可動透明電極膜７が受電アンテナとして機能するよう受電側パッシブ電極１８Ａに切り替えられる。この結果、受電デバイス１は、電界結合方式により、送電デバイス２から電力が供給されて、受電回路２２の二次電池が充電される。
【００４３】
なお、制御部２０は、受電デバイス１が送電デバイス２上に載置された状態（給電状態）において、それぞれのアクティブ電極とパッシブ電極における少なくとも一部が対向したとき、電力伝送可能状態であるとして、切り替え動作を行って給電動作を行う。
【００４４】
二次電池の充電動作が完了したとき、若しくは使用者が当該受電デバイス１をＰＤＡとして機能させるために送電デバイス２から所定距離離したとき、制御部２０はその状態を検知して、切替部２１により可動透明電極膜７をタッチセンサー（位置センサー）として機能するように切り替える。
【００４５】
なお、実施の形態１においては、受電デバイス１のパッシブ電極１８Ａをタッチパネル３の可動透明電極膜７で構成した例で説明したが、本発明はこのように構成に限定されるものではなく、例えばタッチパネルを複数に分割して、パッシブ電極およびアクティブ電極の両方を２つの可動透明電極膜により機能させることも可能である。
【００４６】
上記のように構成された実施の形態１の受電デバイス１は、外観として実質的に表出し、広い面積を有するタッチセンサーの可動透明電極膜７が電界結合方式の受電アンテナとして用いられている。このため、実施の形態１の電力伝送システムを用いることにより、受電デバイス１は高い受電効率で、短時間で給電可能となるとともに、受電アンテナとしてタッチセンサーの可動透明電極膜７が兼用されているため、部品点数の軽減、装置の軽量化および薄型化を達成することができる。
【００４７】
上記のように構成された実施の形態１の受電デバイス１および電力伝送システムにおいては、被充電機器である受電デバイス１に対して、効率高く短時間で給電することが可能になるとともに、簡単な操作により給電状態となるよう構成することができる。また、実施の形態１の構成によれば、携帯型の受電デバイスにおいて重要な課題である小型化、軽量化および薄型化を容易に達成することができる。
【００４８】
《実施の形態２》
以下、本発明に係る実施の形態２の携帯型の受電デバイスとしてのＰＤＡおよびその受電デバイスに電力を供給する電力伝送システムについて添付の図面を用いて説明する。実施の形態２の電力伝送システムにおいても、送電デバイスから受電デバイスへの電力の供給は電界結合方式により行っている。
【００４９】
実施の形態２の受電デバイスおよび電力伝送システムにおいて、前述の実施の形態１の構成との違いは、受電アンテナおよび送電アンテナとなるアクティブ電極およびパッシブ電極の配置であり、受電デバイスのタッチパネルの位置、およびタッチパネル下の表示パネルが電磁透過する材料により構成されている点である。実施の形態２の受電デバイスおよび電力伝送システムにおけるその他の構成は、実施の形態１と同じである。したがって、実施の形態２において、実施の形態１と同じ機能、動作を有するものには同じ符号を付して、それらの説明は実施の形態１における説明を援用する。
【００５０】
図６Ａは送電デバイス２Ａ（実線）上に受電デバイス１Ａ（一点鎖線）を載置した状態を示した平面図であり、給電状態を示している。図６Ｂは送電デバイス２Ａ上に受電デバイス１Ａを載置した給電状態を示す側面図である。
【００５１】
図６Ａおよび図６Ｂに示すように、実施の形態２の受電デバイス１Ａが送電デバイス２Ａに載置された給電状態においては、受電デバイス１Ａのタッチパネル３Ａを目視可能なように上側に向いて表出するよう配置されている。したがって、実施の形態２の受電デバイス２においては、給電状態においても表示パネルの画像表示を確認できる構成である。
【００５２】
実施の形態２の電力伝送システムにおいて送電デバイス２Ａから受電デバイス１Ａに対する給電を行う場合、受電デバイス１Ａが送電デバイス２Ａ上に載置されて、受電デバイス１Ａのアクティブ電極１７Ａ（図６Ａにおいて二点鎖線で示す略正方形の電極）が送電デバイス２Ａのアクティブ電極１７Ｂ（図６Ａにおいて破線で示す略正方形の電極）に対向近接して配置されている。この給電状態において、受電デバイス１Ａのタッチパネル３Ａは表出状態であるが、受電デバイス１Ａのパッシブ電極１８Ａであるタッチパネル３Ａの可動透明電極膜７Ａ（図６Ａにおいて二点鎖線で示す略長方形の電極）は、送電デバイス２Ａのパッシブ電極１８Ｂ（図６Ａにおいて破線で示す略長方形の電極）に対向する位置に配置されている。
【００５３】
図６Ａに示すように、実施の形態２における受電デバイス１Ａにおいて、アクティブ電極１７Ａおよびパッシブ電極１８Ａが重なって形成され、それぞれの電極１７Ａ，１８Ａが受電デバイス１Ａの中央領域に配設されている。同様に、送電デバイス２Ａのアクティブ電極１７Ｂおよびパッシブ電極１８Ｂが重なって形成され、それぞれの電極１７Ｂ、１８Ｂが送電デバイス２Ａの中央領域に配設されている。このため、受電デバイス１Ａおよび送電デバイス２Ａの互いの中央領域が対向するように配置されていれば、電力伝送可能状態となる。したがって、受電デバイス１Ａと送電デバイス２Ａの互いの中央を対向した状態であれば給電状態となり、受電デバイス１Ａは送電デバイス２Ａの載置面に対して任意の角度で電力伝送可能となる。
【００５４】
上記のように、実施の形態２における受電デバイス１Ａは、図６Ｂに示すように、アクティブ電極１７Ａおよびパッシブ電極１８Ａが異なる平面上に配設されている。また、送電デバイス２Ａにおいてもアクティブ電極１７Ｂおよびパッシブ電極１８Ｂが異なる平面上に配設されている。なお、実施の形態２においては、受電デバイス１Ａおよび送電デバイス２Ａにおけるアクティブ電極１７Ａ，１７Ｂおよびパッシブ電極１８Ａ，１８Ｂが平面形状を有する構成例で説明するが、本発明はこの構成例に限定されるものではない。本発明においては、アクティブ電極およびパッシブ電極が少なくとも一部に曲面形状を有する構成でも良く、それぞれのアクティブ電極およびパッシブ電極の少なくとも一部が対向して電力伝送可能となる構成であれば良い。
【００５５】
図７は実施の形態２の電力伝送システムを説明する構成図である。図７においては、受電デバイス１Ａにおけるタッチパネル３Ａの可動透明電極膜７Ａと固定透明電極膜１０のみをタッチセンサーの要素として図示している。
【００５６】
図７に示すように、受電デバイス１Ａおよび送電デバイス２Ａの基本的な構成は、前述の図５に示した実施の形態１の受電デバイス１および送電デバイス２と同じである。
【００５７】
実施の形態２における電力伝送システムの構成要素としては、切替部２１を含む制御部２０、受電回路２２、および位置検出回路２３が設けられており、実施の形態１と同じ構成である。なお、電力伝送および位置検出におけるそれぞれの動作においても同じである。
【００５８】
図７に示すように、受電デバイス１Ａが送電デバイス２Ａに載置されて、電力伝送状態となったことを受電デバイス１Ａの制御部２０が検知したとき、制御部２０は切替部２１の切り替え動作を行い、タッチパネル３Ａの可動透明電極膜７Ａが受電アンテナとして機能するよう切り替えられる。すなわち、可動透明電極膜７Ａが受電側パッシブ電極１８Ａに切り替えられる。この結果、受電デバイス１Ａは送電デバイス２Ａからの電力が電界結合方式により効率高く供給されて、受電回路２２の二次電池が充電される。
【００５９】
二次電池の充電動作が完了したとき、若しくは使用者が当該受電デバイス１ＡをＰＤＡとして機能させるために送電デバイス２Ａから所定距離離したとき、制御部２０はその状態を検知して、切替部２１により可動透明電極膜７Ａをタッチセンサー（位置センサー）として機能するように切り替える。
【００６０】
上記のように構成された実施の形態２の受電デバイス１Ａは、外観として実質的に表出し、広い面積を有するタッチセンサーにおける可動透明電極膜７Ａが電界結合方式の受電アンテナとして用いられている。このため、実施の形態２の電力伝送システムによれば、受電デバイス１Ａが高い受電効率で、短時間の給電が可能となる。また、実施の形態２の構成によれば、受電アンテナとしてタッチセンサーの可動透明電極膜７Ａが兼用されているため、部品点数の軽減、装置の軽量化および薄型化を達成することができる。
【００６１】
さらに、実施の形態２の電力伝送システムにおいては、受電デバイス１Ａおよび送電デバイス２Ａのアクティブ電極１７Ａ，１７Ｂおよびパッシブ電極１８Ａ，１８Ｂがそれぞれ中央領域に配設されている。このため、実施の形態２においては、受電デバイス１Ａおよび送電デバイス２Ａの互いの中央領域が対向すれば電力伝送可能状態となり、受電デバイス１Ａは送電デバイス２Ａの載置面内における任意の角度で容易に給電できる。
【００６２】
《実施の形態３》
以下、本発明に係る実施の形態３の携帯型の受電デバイスとしてのＰＤＡおよびその受電デバイスに電力を供給する電力伝送システムについて添付の図面を用いて説明する。実施の形態３の電力伝送システムにおいても、送電デバイスから受電デバイスへの電力の供給を電界結合方式により行っている。
【００６３】
実施の形態３の受電デバイスおよび電力伝送システムと、前述の実施の形態１における構成との違いは、受電アンテナおよび送電アンテナとなるアクティブ電極およびパッシブ電極の配置であり、受電デバイスのタッチパネルの位置および構成である。実施の形態３の受電デバイスおよび電力伝送システムにおけるその他の構成は同じであるので、実施の形態３において、実施の形態１と同じ機能、動作を有するものには同じ符号を付して、それらの説明は実施の形態１における説明を援用する。
【００６４】
図８Ａは送電デバイス２Ｂ（実線）上に受電デバイス１Ｂ（一点鎖線）を載置した状態を示した平面図であり、給電状態を示している。図８Ｂは送電デバイス２Ｂ上に受電デバイス１Ｂを載置した状態を示す側面図である。
【００６５】
図８Ａおよび図８Ｂに示すように、受電デバイス１Ｂのタッチパネルは２つのタッチパネル構成部３Ｂ，３Ｃにより構成されている。第１のタッチパネル３Ｂは給電状態および非給電状態のいずれの状態においてもタッチセンサー（位置センサー）として機能するよう構成されている。第２のタッチパネル構成部３Ｃは、給電状態においては受電アンテナとして機能し、非給電状態においてはタッチセンサーとして機能しており、受電アンテナとタッチセンサーとを兼用するよう構成されている。
【００６６】
実施の形態３における第１のタッチパネル構成部３Ｂおよび第２のタッチパネル構成部３Ｃはそれぞれ実施の形態１において説明したタッチパネル３と同じ構成を有しており、同じ機能を有している。したがって、第１のタッチパネル構成部３Ｂおよび第２のタッチパネル構成部３Ｃは、それぞれが可動透明電極膜である可動透明電極構成部および固定透明電極膜である固定透明電極構成部が所定間隙を有して対向して配置されており、タッチセンサーとしての機能を有する。但し、第１のタッチパネル構成部３Ｂおよび第２のタッチパネル構成部３Ｃにおけるそれぞれの固定透明電極構成部は、２つに分割した構成例で示したが、１つの構成物として一体的に形成しても良い。上記のように構成された実施の形態３においては、第２のタッチパネル構成部３Ｃにおける可動透明電極構成部がタッチセンサーとして機能する他に受電アンテナ（パッシブ電極）として機能している。
【００６７】
図８Ａおよび図８Ｂに示すように、実施の形態３における電力伝送システムにおいては、受電デバイス１Ｂが送電デバイス２Ｂ上に載置されたとき、送電デバイス２Ｂに設けられた回転可能な送電部２４が回転軸２５を中心に回動されて、受電デバイス１Ｂの一部を挟むように構成されている。実施の形態３の構成においては、送電デバイス２Ｂの送電部２４が受電デバイス１Ｂの一部を挟み付けたとき、送電部２４に形成された送電側パッシブ電極１８Ｂが受電デバイス１Ｂの第２のタッチパネル構成部３Ｃを覆うように配置され、第２のタッチパネル構成部３Ｃの可動透明電極構成部７Ｃ（１８Ａ）を受電側のパッシブ電極（受電アンテナ）として機能させるよう構成されている。したがって、送電デバイス２Ｂの送電部２４により挟み付けられた受電デバイス１Ｂにおいては、第２のタッチパネル構成部３Ｃと送電部２４のパッシブ電極１８Ｂが近接して対向するよう配置される（電力伝送可能状態）。
【００６８】
実施の形態３の電力伝送システムにおいて、電力伝送可能状態では、受電デバイス１Ｂの第１のタッチパネル構成部３Ｂが表出するように上側に向くように配置されている。したがって、実施の形態３の受電デバイス１Ｂにおいては、電力伝送可能状態においても当該受電デバイス１Ｂの第１のタッチパネル構成部３Ｂをタッチセンサーとして使用することが可能な構成である。
【００６９】
なお、送電デバイス２Ｂに設けられた送電部２４のパッシブ電極１８Ｂを透明電極で構成して、送電部２４を透明体で構成しても良い。このように送電部２４およびパッシブ電極１８Ｂを透明材料で構成することにより、給電状態においても第２のタッチパネル構成部３Ｃにおける表示画像を確認できる構成となる。
【００７０】
図９は実施の形態３の電力伝送システムを説明する構成図である。図９においては、受電デバイス１Ｂにおける２つのタッチパネル３Ｂ，３Ｃの可動透明電極構成部７Ｂ，７Ｃと固定透明電極構成部１０Ｂ，１０Ｃのみをタッチセンサーの要素として図示している。なお、実施の形態３においては固定透明電極構成部１０Ｂ，１０Ｃを分割した構成例で説明したが、一体構成でも良い。図９に示すように、受電デバイス１Ｂおよび送電デバイス２Ｂの基本的な構成は、前述の図５に示した実施の形態１の受電デバイス１および送電デバイス２と同じである。
【００７１】
実施の形態３における電力伝送システムの構成要素としては、切替部２１を含む制御部２０、受電回路２２、および位置検出回路２３が設けられており、実施の形態１と同じであり、電力伝送および位置検出におけるそれぞれの動作も同じである。但し、実施の形態３においては、第２のタッチパネル構成部３Ｃの可動透明電極構成部７Ｃがタッチセンサーとしての機能と、受電アンテナ（パッシブ電極）としての機能が切り替えられて用いられる。
【００７２】
図９に示すように、受電デバイス１Ｂが送電デバイス２Ｂ上に載置されて送電部２４により挟み付けられ、電力伝送可能状態となったことを受電デバイス１Ｂの制御部２０が検知したとき、制御部２０は切替部２１の切り替え動作を行い、第２のタッチパネル構成部３Ｃの可動透明電極構成部７Ｃを受電アンテナとして機能するよう切り替える。即ち、第２のタッチパネル構成部３Ｃの可動透明電極構成部７Ｃは、受電側パッシブ電極１８Ａに切り替えられる。この結果、受電デバイス１Ｂは送電デバイス２Ｂからの電力が電界結合方式により確実に効率高く供給され、受電回路２２の二次電池が充電される。
【００７３】
二次電池の充電動作が完了したとき、若しくは使用者が当該受電デバイスをＰＤＡとして機能させるために送電デバイス２Ｂから所定距離離したとき、制御部２０はその状態を検知して、切替部２１により可動透明電極構成部７Ｃをタッチセンサー（位置センサー）として機能するように切り替える。
【００７４】
上記のように構成された実施の形態３の受電デバイス１Ｂは、外観として実質的に表出しているタッチセンサーにおける可動透明電極構成部７Ｃが電界結合方式の受電アンテナとして用いられているため、受電デバイス１Ｂが高い受電効率で、容易に給電が可能となる。また、実施の形態３の構成によれば、タッチセンサーの可動透明電極構成部７Ｃが受電アンテナの機能を兼用しているため、部品点数の軽減、装置の軽量化および薄型化を達成することができる。
【００７５】
なお、本発明の電力伝送システムに用いられる受電デバイスのタッチパネルの形状として、前述の各実施の形態の構成においては平面形状のものを用いて説明したが、本発明におけるタッチパネルとしては平面形状に特定されるものではなく、曲面を有する形状を持つタッチパネルを用いることも可能である。図１０は本発明の電力伝送システムに用いられる受電デバイスのタッチパネルの形状の例示として、２つの変形例を示す斜視図である。図１０の（ａ）に示すタッチパネルはドーム状の曲面を有する形状であり、図１０の（ｂ）に示すタッチパネルは両側端部領域が曲率の大きな曲面で構成された形状を有している。上記のように曲面を有するタッチパネルを備えた受電デバイスを電力伝送システムとして用いる場合には、そのタッチパネルの曲面形状に応じた形状を有する送電デバイスを設けて、互い対向した状態で電力伝送可能状態とすることが好ましい。このように、曲面形状を有するタッチパネルを用いることにより、受電デバイスの外観設計の自由度が飛躍的に増大し、使用者の要望に応じた設計が可能となる。
【産業上の利用可能性】
【００７６】
本発明は、携帯電話器、携帯型ゲーム機、デジタルカメラ、携帯情報端末（ＰＤＡ）、デジタルオーディオ機器、デジタル情報機器などの各種の電子機器に用いられているタッチパネルをワイヤレス電力伝送の受電アンテナとして用いるものであり、汎用性が高く、多くの携帯型電子機器において有用である。
【符号の説明】
【００７７】
１,１Ａ,１Ｂ  受電デバイス
２,２Ａ,２Ｂ  送電デバイス
３,３Ａ  タッチパネル
３Ｂ,３Ｃ  タッチパネル構成部
４  ハードコート層
５  可動側フィルム
６  収縮性樹脂層
７，７Ａ  可動透明電極膜
７Ｂ，７Ｃ  可動透明電極構成部
８  周縁接着層
９  スペーサ
１０  固定透明電極膜
１０Ｂ，１０Ｃ  固定透明電極構成部
１１  固定側支持体
１２  表示パネル
１３  偏向板
１４  カラーフィルタ基板
１５  ＴＦＴ基板
１６  偏向板
１７Ａ  受電側アクティブ電極
１７Ｂ  送電側アクティブ電極
１８Ａ  受電側パッシブ電極
１８Ｂ  送電側パッシブ電極
１９  送電回路
２０  制御部
２１  切替部
２２  受電回路
２３  位置検出回路
２４  送電部
２５  回転軸
【図１】
0005118226.tif 000002
【図２】
0005118226.tif 000003
【図３】
0005118226.tif 000004
【図４Ａ】
0005118226.tif 000005
【図４Ｂ】
0005118226.tif 000006
【図５】
0005118226.tif 000007
【図６Ａ】
0005118226.tif 000008
【図６Ｂ】
0005118226.tif 000009
【図７】
0005118226.tif 000010
【図８Ａ】
0005118226.tif 000011
【図８Ｂ】
0005118226.tif 000012
【図９】
0005118226.tif 000013
【図１０】
0005118226.tif 000014